(57)【特許請求の範囲】
【請求項１】
筒状の胴部の背面板に差込板係止用開孔部が設けられ、前記背面板の上端縁に取付用上差込板が設けられ、該取付用上差込板には、上差込板開孔部が設けられ、また、その左右両端にそれぞれ上側係止片が設けられ、前記背面板の下端縁には取付用下差込板が設けられ、該取付用下差込板には、前記取付用上差込板を折り返して前記背面板に重ね合わせ、さらに前記取付用下差込板を折り返して前記取付用上差込板に重ね合わせたとき、前記上差込板開孔部を通して、前記差込板係止用開孔部に差し込み係止する差込板係止部が設けられていることを特徴とする景品箱。
【請求項２】
前記取付用下差込板の左右両端にそれぞれ下側係止片が設けられていることを特徴とする請求項１に記載の景品箱。
【発明の詳細な説明】
【技術分野】
【０００１】
本発明は、景品箱に関するものである。より詳しくは、複数の缶などを集積して包装するマルチパック包装体などに添付物を一体として取り付けることができる景品箱に関する。
【背景技術】
【０００２】
缶入りのビールやコーヒーなどを半ダース等の複数個を一単位として集積包装されたマルチパック包装体がスーパーマーケットあるいは量販店などで販売されている。このようなマルチパックには、厚紙などで構成され、天面壁、底面壁、前面壁、背面壁からなるスリーブ状のカートンが多く用いられている。そして、このカートンには通常、天面壁にそれぞれに指を入れて持つための持ち運び用孔が２つ長手方向に並んで設けられている。
【０００３】
また、このようなマルチパック包装体に、おまけや景品などを添付することも行われている。そして、このような景品などを収納してマルチパック包装体に取り付けられるようにしたカートンなどが知られている。
【０００４】
例えば、おまけをマルチパック包装体に取り付けられるようにした「おまけ商品カートン」がある。このカートンは、マルチパック包装体の前面壁あるいは背面壁と収納された商品の間に左右から挿入し支持する左右の差し込み壁部と、この左右の差し込み壁部に連続して、マルチパック包装体の前面壁あるいは背面壁の外方に位置する商品保持部とを、備えて形成されている（特許文献１）。
【０００５】
また、同様に、おまけ品を収納保持する「カートンパック用の付設パッケージ」がある。このパッケージは、パッケージ本体の上面部に販促用のおまけ品を差し込んで保持する穴が形成され、背面部の側端にマルチパック包装体の前面壁と収納した缶入り飲料との間に差し込む第一のタブが形成され、背面部の上端にマルチパック包装体の天面壁に被せるフラップが形成され、フラップの延長端にマルチパック包装体の天面壁と缶入り飲料との間に差し込む第二のタブが形成されている（特許文献２）。
【０００６】
公知文献を以下に示す。
【先行技術文献】
【特許文献】
【０００７】
【特許文献１】実用新案登録第３１６８８５８号公報
【特許文献２】実用新案登録第３１８１９２２号公報
【発明の概要】
【発明が解決しようとする課題】
【０００８】
前述のマルチパック包装体に取り付けることができる景品箱は、缶が３行２列収納されたマルチパック包装体の長手方向の前面壁や背面壁の外側に取り付けて使用される。しかしながら、販売の現場では棚や冷蔵ケースの構造により、景品箱を長手方向でない開放端に取り付けたいという要望や、景品箱をマルチパック包装体に取り付けずにそのまま渡したいという要望もある。しかし、前述の景品箱ではこれに対応することができなかった。
【０００９】
本発明は上記のような事情に鑑みてなされたもので、マルチパック包装体のスリーブ状のカートンの前面壁や背面壁に取り付けることもでき、更に、開放端にも取り付け可能で、また、マルチパック包装体に取り付けずに、そのまま渡すことのできる景品箱を提供することを課題としている。
【課題を解決するための手段】
【００１０】
本発明は係る課題に鑑みなされたものであり、請求項１の発明は、筒状の胴部の背面板に差込板係止用開孔部が設けられ、前記背面板の上端縁に取付用上差込板が設けられ、該取付用上差込板には、上差込板開孔部が設けられ、また、その左右両端にそれぞれ上側係止片が設けられ、前記背面板の下端縁には取付用下差込板が設けられ、該取付用下差込板には、前記取付用上差込板を折り返して前記背面板に重ね合わせ、さらに前記取付用下差込板を折り返して前記取付用上差込板に重ね合わせたとき、前記上差込板開孔部を通して、前記差込板係止用開孔部に差し込み係止する差込板係止部が設けられていることを特徴とする景品箱である。
【００１１】
本発明の包装袋は、以上のような構成であって、取付用上差込板を背面板の外側に折り、上側係止片を内側に折り返し、また、取付用下差込板も背面板の外側に折り、マルチパック包装体のスリーブ状のカートンの開放端から、収納された缶などの集積物と天面壁との間に取付用上差込板を、底面壁との間に取付用下差込板を、差し込むことにより、景品箱がマルチパック包装体のスリーブ状のカートンの開放端に取り付けることができる。このとき、取付用上差込板の上側係止片が、収納された缶などを押さえ、抜けて落ちたりすることがない。
【００１２】
また、マルチパック包装体に取り付けない場合は、上側係止片を内側に折り返した状態で取付用上差込板を折り返して背面板に重ね合わせ、また、取付用下差込板を折り返して、その取付用上差込板に重ね合わせて、差込板係止部を取付用上差込板の上差込板開孔部を通して、差込板係止用開孔部に差し込み係止することができる。
【００１３】
このようにすると、マルチパック包装体に取り付けない場合でも、取付用上差込板や取付用上差込板が背面板に付いた状態で保持され、邪魔になることがない。また、前面壁や背面壁に取り付ける場合は、取付用上差込板や取付用上差込板が背面板に付いた状態で両面粘着テープなどで取り付けることができる。
【００１４】
請求項２の発明は、前記取付用下差込板の左右両端にそれぞれ下側係止片が設けられていることを特徴とする請求項１に記載の景品箱である。
【００１５】
取付用下差込板の左右両端にそれぞれ下側係止片が設けられていると、マルチパック包装体のスリーブ状のカートンの開放端に取り付けるとき、取付用下差込板の下側係止片を内側に折り返して、収納された缶などの集積物と底面壁との間に取付用下差込板を、差し込むことにより、下側係止片が、収納された缶などを下側から押さえて、景品箱が抜け落ちることを確実に防止する。
【発明の効果】
【００１６】
本発明の景品箱は、マルチパック包装体のスリーブ状のカートンの前面壁や背面壁に取り付けることもでき、更に、開放端にも取り付け可能で、また、マルチパック包装体に取り付けずに、そのまま渡すことができる。
【図面の簡単な説明】
【００１７】
【図１】本発明の景品箱の一例のマルチパック包装体のスリーブ状のカートンの開放端に取り付けるときの形状を模式的に斜視で示した説明図である。
【図２】本発明の景品箱の一例のマルチパック包装体のスリーブ状のカートンの開放端に取り付けるときの形状を模式的に背面で示した説明図である。
【図３】本発明の景品箱の一例をマルチパック包装体のスリーブ状のカートンの開放端に取り付ける状態を模式的に斜視で示した説明図である。
【図４】本発明の景品箱の一例をマルチパック包装体のスリーブ状のカートンの開放端に取り付けた状態を模式的に上から一部透視して示した説明図である。
【図５】本発明の景品箱の一例のマルチパック包装体に取り付けずに、そのまま渡すときの形状を模式的に示した説明図で、（Ａ）一部透視した背面図、（Ｂ）左側面図である。
【図６】本発明の景品箱の一例のブランクを模式的に示した説明図である。
【図７】本発明の景品箱の一例の組み立て方を説明する模式図である。
【発明を実施するための形態】
【００１８】
以下、本発明を実施するための形態について説明する。
図１は、本発明の景品箱の一例のマルチパック包装体のスリーブ状のカートンの開放端に取り付けるときの形状を模式的に斜視で示した説明図、図２は、本発明の景品箱の一例のマルチパック包装体のスリーブ状のカートンの開放端に取り付けるときの形状を模式的に背面で示した説明図、図３は、本発明の景品箱の一例をマルチパック包装体のスリーブ状のカートンの開放端に取り付ける状態を模式的に斜視で示した説明図、図４は、本発明の景品箱の一例をマルチパック包装体のスリーブ状のカートンの開放端に取り付けた状態を模式的に上から一部透視して示した説明図、図５は、本発明の景品箱の一例のマルチパック包装体に取り付けずに、そのまま渡すときの形状を模式的に示した説明図で、（Ａ）は、一部透視した背面図、（Ｂ）は、左側面図である。
【００１９】
本例の景品箱１００は、図１の斜視図、図２の背面図に示すように、正面板１、背面板２、左面板３、右面板４からなる筒状の胴部に天面板５、底面板６を有する箱で、天面板５と底面板６は、それぞれ、正面板１の上端縁と下端縁に折罫を介して設けられている。
【００２０】
背面板２の上端縁に折罫を介し取付用上差込板７が設けられている。取付用上差込板７には、上差込板開孔部８が設けられ、また、取付用上差込板７の左右両端には、それぞれ上側係止片９、９が折罫を介して設けられている。
【００２１】
また、背面板２の下端縁には折罫を介し取付用下差込板１０が設けられ、取付用下差込板１０の左右両端には、それぞれ下側係止片１１、１１が設けられている。また、取付用下差込板１０には、切れ目により形成された差込板係止部１２が設けられている。
【００２２】
そして、背面板２には、差込板係止用開孔部１３が設けられていて、上側係止片９、９を下に折り返したまま取付用上差込板７を背面板２の外側に重なるように倒して、その上に下側係止片１１、１１を上側に折り返したまま取付用下差込板１０を重なるように倒して、差込板係止部１２を、上差込板開孔部８を通して、差込板係止用開孔部１３に差し込み係止できるようになっている。
【００２３】
図３のように、本例の景品箱１００を取り付けるマルチパック包装体は、天面壁２０１、底面壁２０２、前面壁２０３、背面壁２０４からなるスリーブ状のカートン２００に缶３００が３行２列収納されている。尚、カートン２００の天面壁２０１には、マルチパック包装体を持つために、指を入れる持ち運び用孔２０５、２０５が設けられている。
【００２４】
この景品箱１００をマルチパック包装体のスリーブ状のカートン２００の開放端に取り付けるには、スリーブの開放端から、取付用上差込板７を、上側係止片９、９を下側に折り返した状態で缶３００と天面壁２０１の間に、また、取付用下差込板１０を、下側係止片１１、１１を上側に折り返した状態で缶３００と底面壁２０２の間に差し込んでいく。
【００２５】
差し込むと、図４の模式的に上から一部透視して示した説明図のように、取付用上差込板７の上差込板開孔部８が、カートン２００の持ち運び用孔２０５を塞がないような位置にくる。また、上側係止片９、９の先端は、缶３００の蓋の窪んだ部分に嵌るように形成
されている。このため、差し込んだ取付用上差込板７が簡単には抜けないようになっている。
【００２６】
また、図には示さないが、取付用下差込板１０においても、下側係止片１１、１１の先端が、缶３００の底の窪んだ部分に入るように形成されていて、差し込んだ取付用下差込板１０が簡単には抜けないようになっている。
【００２７】
また、景品箱１００をマルチパック包装体に取り付けずに、そのまま渡すときには、図１の斜視図、図２の背面図に示す形状の景品箱１００から、上側係止片９、９を下側に折り返したまま取付用上差込板７を下に折り、背面板２の外側に重ねる。
【００２８】
続いて、下側係止片１１、１１を上側に折り返したまま取付用下差込板１０を上に折り、取付用上差込板７の外側に重ねる。そして、取付用下差込板１０の切れ目から形成させた差込板係止部１２を、取付用上差込板７に設けた上差込板開孔部８を通して、背面板２の差込板係止用開孔部１３に差し込み係止する。
【００２９】
このように折って、係止すると図５の（Ａ）一部透視した背面図、（Ｂ）左側面図のように、取付用上差込板７や取付用下差込板１０などがコンパクトに背面板２の外側にまとまり、邪魔にならず、体裁が整えられる。
【００３０】
この形状にすれば、マルチパック包装体に取り付けることなく、そのままマルチパック包装体の購入者に渡すことができる。また、景品箱１００をマルチパック包装体のスリーブ状のカートン２００の開放端に取り付けるのではなく、マルチパック包装体のカートン２００の前面壁２０３や背面壁２０４に取り付ける場合は、差込板係止部１２を差込板係止用開孔部１３に差し込み係止した、図５（Ａ）、（Ｂ）の形状で、取付用下差込板１０や取付用上差込板７の外側に両面粘着テープなどにより貼着して取り付けることができる。
【００３１】
以下、本例の景品箱の製造方法について説明する。
図６は、本発明の景品箱の一例のブランクを模式的に示した説明図、図７は、本発明の景品箱の一例の組み立て方を説明する模式図である。
【００３２】
本例の景品箱１００は、図６に示すブランク１０１を折り、必要に応じて貼着して組み立てる。図６は、景品箱１００の外面になる方から見た図で、一点鎖線は折罫を示す。
【００３３】
ブランク１０１には、アート紙、コート紙、段ボール紙などの剛性のある紙が用いられる。また、冷蔵庫などに収納される場合があるので、耐水性を付与された紙を用いるのが好ましい。これらの紙を、抜き型を用いて、打ち抜くと同時に折罫を設けて、ブランク１０１を作成する。尚、絵柄印刷層を設ける場合は、ブランクにする前の紙に絵柄印刷層を設ける。
【００３４】
ブランク１０１は、図６に示すように、上下中央右から、右面板４、正面板１、左面板３、背面板２がそれぞれ折罫を介し、連設されている。また、背面板２の左側には、貼着片１４が折罫を介し設けられている。
【００３５】
背面板２には、横長の長円形あるいは長方形の差込板係止用開孔部１３が設けられている。そして、背面板２の上端縁には、折罫を介して取付用上差込板７が設けられている。取付用上差込板７には、直線と円弧からなる形状の上差込板開孔部８が設けられ、また、取付用上差込板７の左右両端縁にはそれぞれ、折罫を介して円弧状の上側係止片９、９が設けられている。
【００３６】
背面板２の下端縁には、折罫を介して取付用下差込板１０が設けられている。取付用下差込板１０の左右両端縁にはそれぞれ、折罫を介して円弧状の下側係止片１１が設けられている。また、取付用下差込板１０には、切れ目からなる差込板係止部１２が設けられている。
【００３７】
取付用上差込板７の上差込板開孔部８の位置や大きさ、及び、上側係止片９、９の位置や大きさは、取り付けるマルチパック包装体に合わせる。すなわち、カートン２００の開放端に取り付けたときに、図４のように、上差込板開孔部８は持ち運び用孔２０５を塞がないように設ける。また、上側係止片９、９は、収納されている缶３００、３００を、押さえられるように設ける。このため、取付用上差込板７の幅は、缶３００の径と略等しく、長さは缶３００の径より長い。
【００３８】
また、取付用下差込板１０の下側係止片１１の位置や大きさは、取り付けるマルチパック包装体に収納されている缶３００に合わせて設ける。すなわち、缶３００、３００を、下から押さえられるように設ける。
【００３９】
また、カートン２００の開放端に取り付けずに渡すときなどに、背面板２の外側に取付用上差込板７を重ね、更に取付用下差込板１０を重ねて、差込板係止部１２を、上差込板開孔部８を通して差込板係止用開孔部１３に係止するために、差込板係止部１２の位置は、上差込板開孔部８の位置に合わせて設ける。また、差込板係止用開孔部１３の位置も差込板係止部１２の位置に合わせて設ける。
【００４０】
このように取付用上差込板７と取付用下差込板１０が重なり合うため、取付用上差込板７の長さと取付用下差込板１０の長さを足した長さは、背面板２の高さよりも長く、高さの倍より短くなっている。尚、背面板２の高さは缶３００の高さに合わせている。
【００４１】
取付用上差込板７と背面板２に渡って、その左右中央に、開いた方が背面板２側に向いたＵ字型の切れ目からなる天面係止片１５が設けられ、背面板２と取付用下差込板１０に渡って、その左右中央に、開いた方が背面板２側に向いたＵ字型の切れ目からなる底面係止片１６が設けられている。
【００４２】
正面板１の上端縁には折罫を介して天面板５が設けられていて、天面板５の上端縁には折罫を介して天面差込片１７が設けられている。また、天面板５と天面差込片１７の境界部分の左右中央には、天面係止スリット１８が設けられている。また、天面係止スリット１８には隙間を開けやすいように、部分的に切り抜き孔が設けられている。
【００４３】
正面板１の下端縁には折罫を介して底面板６が設けられていて、底面板６の下端縁には折罫を介して底面差込片１９が設けられている。また、底面板６と底面差込片１９の境界部分の左右中央には、底面係止スリット２０が設けられている。また、底面係止スリット２０にも隙間を開けやすいように、部分的に切り抜き孔が設けられている。また、底面板６には、底面開孔部２１が設けられている。
【００４４】
左面板３の上端縁には折罫を介して左上フラップ２２が設けられ、下端縁には折罫を介して左下フラップ２３が設けられている。また、右面板４の上端縁には折罫を介して右上フラップ２４が設けられ、下端縁には折罫を介して右下フラップ２５が設けられている。左上フラップ２２や左下フラップ２３、右下フラップ２５の形状は、上側係止片９や下側係止片１１、底面開孔部２１に合わせて、変形して設けられている。
【００４５】
そして、背面板２と左面板３の間の折罫で内側に折り、正面板１と右面板４の間の折罫
で内側に折って、貼着片１４の外面と重なった右面板４の内面を貼着すると図７のように、筒状の胴部が形成された平坦なスリーブ上になる。
【００４６】
この胴部が筒状になった景品箱１００を角筒状に起こし、左下フラップ２３と右下フラップ２５を内側に倒し、その外側に重なるように底面板６を倒して、底面差込片１９を背面板２の内側に差し込む。そして、底面係止片１６を底面係止スリット２０に差し込んで、底面板６を背面板２に係止し、景品箱１００の底部を形成する。このように、底面板６を背面板２に係止しているので、底が抜けて景品が抜け落ちてしまうことがない。
【００４７】
次に、左上フラップ２２と右上フラップ２４を内側に倒し、その外側に重なるように天面板５を倒して、天面差込片１７を背面板２の内側に差し込む。そして、天面係止片１５を天面係止スリット１８に差し込んで、天面板５を背面板２に係止し、景品箱１００の天部を形成する。このように、天面板５を背面板２に係止しているので、簡単に天面板５が開いてしまうことがない。
【００４８】
そして、上側係止片９、９を内側に倒し、取付用上差込板７を外側に倒し、また、下側係止片１１、１１を内側に倒し、取付用下差込板１０を外側に倒すと、図１、図２に示すような景品箱１００が組み立てられる。
【００４９】
本例では、マルチパック包装体に収納されている物品を２行３列の缶としているが、本発明の景品箱を取り付けるマルチパック包装体に収納される物品は、これに限定されるものではない。例えば、紙管容器入りの商品でもよいし、数量もこれより多くてもよい。
【符号の説明】
【００５０】
１００・・・景品箱
１・・・正面板
２・・・背面板
３・・・左面板
４・・・右面板
５・・・天面板
６・・・底面板
７・・・取付用上差込板
８・・・上差込板開孔部
９・・・上側係止片
１０・・・取付用下差込板
１１・・・下側係止片
１２・・・差込板係止部
１３・・・差込板係止用開孔部
１４・・・貼着片
１５・・・天面係止片
１６・・・底面係止片
１７・・・天面差込片
１８・・・天面係止スリット
１９・・・底面差込片
２０・・・底面係止スリット
２１・・・底面開孔部
２２・・・左上フラップ
２３・・・左下フラップ
２４・・・右上フラップ
２５・・・右下フラップ
２００・・・カートン
２０１・・・天面壁
２０２・・・底面壁
２０３・・・前面壁
２０４・・・背面壁
２０５・・・持ち運び用孔
３００・・・缶
【図１】
0006586813.tif 000002
【図２】
0006586813.tif 000003
【図３】
0006586813.tif 000004
【図４】
0006586813.tif 000005
【図５】
0006586813.tif 000006
【図６】
0006586813.tif 000007
【図７】
0006586813.tif 000008